(57)【要約】【課題】多目的な機能を具備に、且つ移動自在で、任意の部位に設置、配置出来る装飾品載置台兼用物品吊下具を提供する。【解決手段】所定の重量と面積を有し、所定の平面形状を有する台座本体部２と、当該台座本体部２の一方の表面であって、主として摩擦特性の大なる素材若しくは磁気特性を有する素材で構成された第１の層３が設けられている第１の表面４、及び当該台座本体部２に於ける当該第１の表面４に対して反対側にある表面であって、主として摩擦特性の大なる素材で構成された第２の層５が設けられている第２の表面６、とで構成された台座部７と、当該台座本体部２の少なくとも一部の側壁面部８から外側に向けて突出して設けられている線状体９と、から構成されている装飾品載置台兼用物品吊下具１である。【選択図】図１
2013165854.tif 000002
【特許請求の範囲】
【請求項１】
所定の重量と面積を有し、所定の平面形状を有する台座本体部、
当該台座本体部の一方の表面であって、主として摩擦特性の大なる素材若しくは磁気特性を有する素材で構成された第１の層が設けられている第１の表面、及び
当該台座本体部に於ける当該第１の表面に対して反対側の表面であって、主として摩擦特性の大なる素材で構成された第２の層が設けられている第２の表面、
とで構成された台座部と、
当該台座本体部の少なくとも一部の側壁面部から外側に向けて突出して設けられている線状体と、
から構成されている装飾品載置台兼用物品吊下具であって、
当該線状体は、所定の太さと長さを有し、且つ当該台座本体部の所定の側壁部に接合されている第１の端部と、当該線状体の長手方向に於ける、当該第１の端部とは反対側の自由端部を形成する第２の端部とからなり、且つ当該第１の端部から当該線状体の長手方向に沿って所定の長さを有する部位迄の第１の線条部分は、当該台座本体部から見て当該台座本体部に向けて内側に湾曲した第１の湾曲部と当該第１の湾曲部に連続して当該第２の端部に至るまでの第２の線条部分は、当該第１の湾曲部の湾曲状態とは反対方向の外側に湾曲した第２の湾曲部から構成されており、
且つ、少なくとも、当該線状体の当該第１の端部近傍部分は、弾発性を有する素材で構成する事により、当該線状体が常時当該台座本体部方向に向けたバイアス力が付与される様に構成されており、
少なくとも、当該線状体に於ける当該第２の湾曲部の極大点部は、当該線状体の当該第１の端部が接合されている当該台座本体部に於ける当該側壁面部か形成する仮想垂直面よりも当該台座本体部側に位置する様に設定されており、
然も、当該線状体の当該第１の端部は、当該線状体が当該台座本体部の当該第１の表面部に対して直角となる様に配置されると共に、当該線状体の当該第２の端部が、当該台座本体部の当該第１の表面部側に存在する様に、当該台座本体部の当該側壁部の所定の部位に配置される事を特徴とする装飾品載置台兼用物品吊下具。
線
【請求項２】
当該第２の湾曲部に於ける当該極大部の外側湾曲部に摩擦特性の大なる素材からなる部材が設けられている特徴とする請求項１に記載の装飾品載置台兼用物品吊下具。
【請求項３】
当該台座本体部内部にマグネット部材が埋め込まれている特徴とする請求項１又は２に記載の装飾品載置台兼用物品吊下具。
【請求項４】
当該線状体に於ける当該第１の湾曲部の内側湾曲部で形成される空間領域部に、複数個の切り込み状凹陥状部が形成された板状体を、その一部を当該線状体に接合させて配置した事を特徴とする請求項１乃至３の何れかに記載の装飾品載置台兼用物品吊下具。
【請求項５】
当該線状体の当該第２の端部に近接する部位であって、当該第２の湾曲部の外側湾曲部に当該線状体から外側方向に膨出した膨出部が設けられている事を特徴とする請求項１乃至４の何れかに記載の装飾品載置台兼用物品吊下具。
【請求項６】
当該膨出部にＬＥＤ発光体を設けた事を特徴とする請求項１乃至５の何れかに記載の装飾品載置台兼用物品吊下具。
【請求項７】
当該線状体に於ける当該第２の端部先端部に、当該線状体の長手方向に沿って、所定の長さ延展し且つ収納自在に構成された補助部材を摺動可能に設けた事を特徴とする請求項１乃至６の何れかに記載の装飾品載置台兼用物品吊下具。
【請求項８】
当該補助部材は、当該ＬＥＤ発光体に対するスイッチ機能を有している特徴とする請求項７に記載の装飾品載置台兼用物品吊下具。
【発明の詳細な説明】
【技術分野】
【０００１】
本発明は、装飾品載置台兼用物品吊下具に関するものであり、特に詳しくは、室内に於いて、花瓶、壷、その他使用者の好みの物品を美麗に優雅に、机或いは書棚、その他の家具或いは食器棚等の上面に載置出来る飾り台を提供すると同時に、鞄、手提げ、腕時計、ハンカチ、手ぬぐい、輪ゴム、携帯電話、スマートホーン、メモ用紙、等を簡便に保持させておける移動自在な装飾品載置台兼用物品吊下具を提供するものである。
【背景技術】
【０００２】
処で、従来から、花瓶、壷、その他使用者の好みの物品を、机或いは書棚、その他の家具或いは食器棚等の好みの部材の上面に載置して飾る為に、適宜の大きさの平板状の木製、プラスチック製、金属製、或いは編織物等からなるシート、シート板を下敷きとして使用し、その上に当該物品を置いて飾っている。
係るシート、シート板は、何れも単に当該物品の下敷きとして使用されているに過ぎず、その他の用途に使用出来る機能は全く有していないのが実情である。
【０００３】
一方、鞄、手提げ、ハンカチ、手ぬぐい、輪ゴム等の小物類を一時的に吊下げ保管する為に、従来から簡易フック、ミニフック、かばんフック等が使用されている。
例えば、インターネット上のグーグル検索で、「かばんフック」或いは「ハンガーフック」等のキーワードを入力すると、家具、家電製品、棚部の端縁部に固定される、裏面に粘着剤、ゴム、マグネット等の固定機能を設けた固定部と当該固定部から略直角に垂下するフック部とから構成される「かばんフック」或いは「ハンガーフック」が多数紹介されている。
【０００４】
一方、実用新案登録第３１６８５１２号公報（特許文献１）、実開平０７―００３４４６号公報（特許文献２）、意匠登録第１３６３３１３号（特許文献３）或いは意匠登録第１３５０４５１号（特許文献４）等により、マグネットや、ゴム、粘着剤を利用して、家具、家電製品の壁部や、上部角部に取付ける係止部材と当該係止部材から下方に垂下したフック部トから構成される物品吊下げ具が知られている。
然しながら、係る公知の物品吊下げ具は、吊下げる物品が固定される単機能しか有しておらず、複数種類の小物物品を同時に吊下げ保持する機能は有しておらず、又係る公知の物品吊下げ具が、装飾物体を載置する為に使用される事は全くなかったのが現状である。
【先行技術文献】
【特許文献】
【０００５】
【特許文献１】実用新案登録第３１６８５１２号公報
【特許文献２】実開平０７―００３４４６号公報
【特許文献３】意匠登録第１３６３３１３号公報
【特許文献４】意匠登録第１３５０４５１号
【発明の概要】
【発明が解決しようとする課題】
【０００６】
従って本発明の目的は、上記した従来技術の欠陥を改良し、単一の物品でありながら、簡易な構成を有し、それによって、使用者の意思、希望に応じて、花瓶、壷、その他使用者の好みの物品を美麗に優雅に、机或いは書棚、その他の家具或いは食器棚等の上面に載置出来る飾り台を提供すると同時に、鞄、手提げ、ハンカチ、手ぬぐい、輪ゴム、携帯電話、スマートホーン、メモ用紙、その他、下着類、シャツ類、洋服類、セーター類、帽子、襟巻き、コート類、オーバー類等衣服製品を直接あるいは、適宜のハンガーを介して、簡便に保持させておける多目的な機能を具備に、且つ移動自在で、任意の部位に設置、配置出来る装飾品載置台兼用物品吊下具を提供する事にある。
【課題を解決するための手段】
【０００７】
本発明は、上記のような目的を達成するため、基本的には、以下に示す様な技術構成を採用するものである。
即ち、本発明に係る装飾品載置台兼用物品吊下具は、所定の重量と面積を有し、所定の平面形状を有する台座本体部、当該台座本体部の一方の表面であって、主として摩擦特性の大なる素材若しくは磁気特性を有する素材で構成された第１の層が設けられている第１の表面、及び該台座本体部に於ける当該第１の表面に対して反対側の表面であって、主として摩擦特性の大なる素材で構成された第２の層が設けられている第２の表面、とで構成された台座部と、当該台座本体部の少なくとも一部の側壁面部から外側に向けて突出して設けられている線状体と、から構成されている装飾品載置台兼用物品吊下具であって、当該線状体は、所定の太さと長さを有し、且つ当該台座本体部の所定の側壁部に接合されている第１の端部と、当該線状体の長手方向に於ける、当該第１の端部とは反対側の自由端部を形成する第２の端部とからなり、且つ当該第１の端部から当該線状体の長手方向に沿って所定の長さを有する部位迄の第１の線条部分は、当該台座本体部から見て当該台座本体部に向けて内側に湾曲した第１の湾曲部と当該第１の湾曲部に連続して当該第２の端部に至るまでの第２の線条部分は、当該第１の湾曲部の湾曲状態とは反対方向の外側に湾曲した第２の湾曲部から構成されており、且つ、少なくとも、当該線状体の当該第１の端部近傍部分は、弾発性を有する素材で構成する事により、当該線状体が常時当該台座本体部方向に向けたバイアス力が付与される様に構成されており、少なくとも、当該線状体に於ける当該第２の湾曲部の極大点部は、当該線状体の当該第１の端部が接合されている当該台座本体部に於ける当該側壁面部か形成する仮想垂直面よりも当該台座本体部側に位置する様に設定されており、然も、当該線状体の当該第１の端部は、当該線状体が当該台座本体部の当該第１の表面部に対して直角となる様に配置されると共に、当該線状体の当該第２の端部が、当該台座本体部の当該第１の表面部側に存在する様に、当該台座本体部の当該側壁部の所定の部位に配置される事を特徴とする装飾品載置台兼用物品吊下具である。
【発明の効果】
【０００８】
本発明は、上記した様な構成を採用することによって、先ず、当該装飾品載置台兼用物品吊下具の当該第２の表面を下に向けて、当該第２の層を使用者が所望する机或いは書棚、その他の家具或いは食器棚等の上面と接触させて固定保持し、それによって、当該第１の表面と当該線状体を上方に向けて設置することにより、当該第１の表面部の当該第１の層上には、当該使用者の所望する好みの写真、カレンダー、花瓶、壷、時計、その他使用者の好みの物品を美麗に優雅に、飾る事が出来ると同時に当該線状体が、鳥の頭部及び羽根部をイメージした外観を呈するので、当該載置品を更に、効果的に引き立て、美麗な間隔を演出する事が可能であると共に、当該線状体の先端部或いはその中間部に任意の小物品、例えばハンカチ、手ぬぐい、輪ゴム、携帯電話、メモ用紙等を吊り下げて保持しておく事が可能であり、一方、当該装飾品載置台兼用物品吊下具の当該第１の表面を下に向けて、当該第１の層を使用者が所望する机或いは書棚、その他の家具或いは食器棚等の上面と側壁部との端縁角部分に当該第１の層の摩擦特性を持つ素材或いは磁気特性を有する素材を利用して、固定配置すると共に、当該線状体を略垂直に当該壁部に沿って垂下させることにより、当該線状体の各湾曲部に鞄、手提げ、腕時計、ハンカチ、手ぬぐい、輪ゴム、携帯電話、スマートホーン、メモ用紙等、あるいは、下着類、シャツ類、洋服類、セーター類、帽子、襟巻き、コート類、オーバー類等衣服製品を直接あるいは、適宜のハンガーを介して、使用者が所望する各種の物品を簡便に吊り下げて保持させておける移動自在な装飾品載置台兼用物品吊下具が得られるものである。
【図面の簡単な説明】
【０００９】
【図１】図１は、本発明に係る装飾品載置台兼用物品吊下具の一具体例に於ける一使用態用示す側面図である。
【図２】図２は、本発明に係る装飾品載置台兼用物品吊下具の一具体例に於ける別の使用態用示す側面図である。
【図３】図３は、本発明に係る装飾品載置台兼用物品吊下具の一具体例に於ける一の態様に於いて、当該線状体方向から見た側面図である。
【図４】図４は、本発明に係る装飾品載置台兼用物品吊下具の一具体例に於ける他の態様に於いて、当該線状体方向から見た側面図である。
【図５】図５は、本発明に係る装飾品載置台兼用物品吊下具に於ける当該台座本体部と当該線状体との接合構造の一具体例を示す図である。
【図６】図６は、本発明に係る装飾品載置台兼用物品吊下具に於ける当該台座本体部の平面形状の例を示す図であり、又、本発明に於いて当該線状体を当該台座本体部内に収納する場合の一具体例を示す平面図である。
【発明を実施するための形態】
【００１０】
以下に本発明に係る装飾品載置台兼用物品吊下具の一具体例の構成を、図面を参照しながら詳細に説明する。
【００１１】
即ち、図１は、本発明に於ける当該装飾品載置台兼用物品吊下具１の一具体例を示す図であって、図中、所定の重量と面積を有し、所定の平面形状を有する台座本体部２、当該台座本体部２の一方の表面であって、主として摩擦特性の大なる素材若しくは磁気特性を有する素材で構成された第１の層３が設けられている第１の表面４、及び当該台座本体部２に於ける当該第１の表面４に対して反対側にある表面であって、主として摩擦特性の大なる素材で構成された第２の層５が設けられている第２の表面６、とで構成された台座部７と、当該台座本体部２の少なくとも一部の側壁面部８から外側に向けて突出して設けられている線状体９と、から構成されている装飾品載置台兼用物品吊下具１であって、当該線状体９は、所定の太さと長さを有し、且つ当該台座本体部２の所定の側壁部８に接合されている第１の端部１０と、当該線状体９の長手方向に於ける、当該第１の端部１０とは反対側の自由端部を形成する第２の端部１１とからなり、且つ当該第１の端部１０から当該線状体９の長手方向に沿って所定の長さを有する部位迄の第１の線条部分１２は、当該台座本体部２から見て当該台座本体部２に向けて内側に湾曲した第１の湾曲部１３と当該第１の湾曲部１３に連続して当該第２の端部１１に至るまでの第２の線条部分１４は、当該第１の湾曲部１３の湾曲状態とは反対方向の外側に湾曲した第２の湾曲部１５から構成されており、且つ、少なくとも、当該線状体９の当該第１の端部１０近傍部分は、弾発性を有する素材で構成する事により、当該線状体９が常時当該台座本体部２方向に向けたバイアス力が付与される様に構成されており、少なくとも、当該線状体９に於ける当該第２の湾曲部１５の極大点部１６には、当該線状体９の当該第１の端部１０が接合されている当該台座本体部２に於ける当該側壁面部８か形成する仮想垂直面１７よりも当該台座本体部２側に位置する様に設定されており、然も、当該線状体９の当該第１の端部１０は、当該線状体９が当該台座本体部２の当該第１の表面部４に対して直角となる様に配置されると共に、当該線状体９の当該第２の端部１１が、当該台座本体部２の当該第１の表面部４側に存在する様に、当該台座本体部２の当該側壁部８の所定の部位に配置される事を特徴とする装飾品載置台兼用物品吊下具１が示されている。
【００１２】
つまり、本発明に係る当該装飾品載置台兼用物品吊下具１は、当該台座本体部２の当該第２の表面６を下向きにして、適宜の家具、家電製品２０等の上面平面部に配置し、当該第２の層５の摩擦力を利用して当該部位に固定的に配置設置し、当該第１の表面４の上或いは当該第１の層３の上面に上記した使用者の好みの装飾用部品或いは実用的物品２１を載置して飾る事が出来ると同時に、当該台座本体部２の当該第２の表面４の上方に向けて当該台座本体部２から略垂直に延展されている当該線状体９が、あたかも鳥の置物である様な印象をかもしだす事により、当該装飾品載置台兼用物品吊下具１をより美麗で優雅な物品の載置台として機能する第１の使用態用と、当該台座本体部２の当該第１の表面４を下向きにして、特に当該家具、家電製品２０等の上面部と側壁部との周縁角部に近接した部位に当該第１の層３の摩擦特性を持った或いは当該磁気特性を持った素材を介して配置設置し、同時に当該線状体９を当該台座本体部２の側壁部８から当該家具、家電製品２０の壁面に沿って垂直に下方に向けて垂下させると共に、当該線状体９の当該第２湾曲部に於ける当該極大点部１６を常時当該家具、家電製品２０の壁面２２に接触、当接する様に配置することによって、当該第２の表面部６若しくは当該第２の層５上に、使用者の好みの物品２１を載置すると共に、当該線状体９の適宜の部位に、鞄、手提げ、腕時計、ハンカチ、手ぬぐい、輪ゴム、携帯電話、スマートホーン、メモ用紙等、使用者が所望する各種の物品を簡便に、吊り下げたり、保持させて使用する第２の使用態用とを当該使用の好みに沿って任意に変化させて使用すると言うリバーシブル構成を有する装飾品載置台兼用物品吊下具１がえられるのである。
【００１３】
本発明に於ける当該台座部７を構成する当該台座本体部２は、木材、プラスチック、金属等の材料で構成された、所定の厚みと平面形状を有するものであり、それぞれの寸法は特定されるものではないが、載置台として有る程度の重量が必要であり、それなりの厚みと平面積を有する事が望ましい。
又、場合によっては、当該台座本体部２内部に重りとして機能する金属製物体或いは磁石等２３を内蔵する事も可能である。
【００１４】
一方、当該台座本体部２の第１の表面４には、載置物品のズレを防止し安定的の当該物品を保持し、且つ、当該第１の表面が反転して使用されて、当該家具、家電製品２０等の上面部と接触した場合に、ずれが発生しない様に、摩擦特性の大なる素材、例えば、ゴム、軟質性プラスチック、或いは粘着性材料を含む素材で構成される第１の層３を設ける事が望ましく、更には当該第１の層３は、金属物体と接合可能な磁気素材を含む層で構成されている事も望ましい。
更に、当該第１及び第２の層の一方及びその双方の外側表面には、適宜の深さ或いは密度を以って形成された凹凸部或いは溝部が設けられている事も好ましく、これによって、少なくとも、当該何れの層１，２の外表面の摩擦特性を増大させる事も可能である。
【００１５】
一方、本発明に係る当該装飾品載置台兼用物品吊下具１に設けられている当該線状体９は、所定の太さ、所定の長さ、扁平状、円形状、楕円形状、矩形を含む多角形状等、任意の所定の断面形状を有する帯状体、或いは棒状体から構成されるものであり、その材質は、特に特定されるものではないが、例えば、金属、プラスチック、金属とプラスチックからなる複合素材若しくは、繊維とプラスチックトからなる複合素材等が使用されるものである。
【００１６】
又、当該線状体９は、前記した通り、当該台座本体部２の少なくとも一部の側壁面部８から外側に向けて突出して設けられているものであり、その取付方法は、特に限定されるものではないが、例えば、当該線状体９は、当該台座本体部２の少なくとも一部の側壁面部８に於いて、当該第１の表面４に対して垂直で、且つ当該第１の表面４の上方に当該第２の端部が配置される様に適宜の取付手段３０を介して、固定されているものであっても良く、或いは、当該台座本体部２の当該側壁面部８に対して着脱自在に取り付けられているものであっても良い。
更に、当該線状体９は，適宜の取付手段３０を介して。当該台座本体部２の当該第１の表面４に対して、垂直に固定保持される位置と、当該台座本体部２の当該第１の表面４に対して、平行となる様に横倒しされ、当該第１の表面４に対して略平行となる横置き状態を形成する位置との双方の位置を選択的に取り得る様に構成されているものであっても良い。
【００１７】
一方、当該線状体９は，更に適宜の取付手段３０を含む別の取付手段３１を介して、当該横置きされた当該線状体９を当該第１の表面４に対して略平行となる平面に沿って、旋回出来る様に構成されているものであっても良い。
【００１８】
一方、当該線状体９は、当該台座本体部２の少なくとも一部の側壁面部８から外側に向けて突出して設けられているものであって、当該線状体９は、所定の太さと長さを有し、且つ当該台座本体部２の所定の側壁部８に接合されている第１の端部１０と、当該線状体９の長手方向に於ける、当該第１の端部１０とは反対側の自由端部を形成する第２の端部１１とからなり、且つ当該第１の端部１０から当該線状体９の長手方向に沿って所定の長さを有する部位迄の第１の線条部分１２は、当該台座本体部２から見て当該台座本体部２に向けて内側に湾曲した第１の湾曲部１３と当該第１の湾曲部１３に連続して当該第２の端部１１に至るまでの第２の線条部分１４は、当該第１の湾曲部１３の湾曲状態とは反対方向の外側に湾曲した第２の湾曲部１５から構成された、略Ｓ字状の形状を呈している。
【００１９】
又、本発明に於ける当該線状体９の断面形状及びその太さは、少なくとも当該湾曲部に鞄或いはハンドバック、傘等の比較的重量のある物品を吊り下げた場合でも、当該湾曲状の形態が変化しない様な程度の仕様に設定される事が望ましい。
更に、当該線状体９にあっては、少なくとも、当該線状体９の当該第１の端部１０近傍部分は、弾発性を有する素材で構成されている事が好ましく、これにより、当該線状体９全体が矢印（Ａ）或いは矢印（Ｂ）で示す様に、僅かの範囲内で遥動可能な状態に常時維持せしめられると共に、特には、当該台座本体部２方向に向けたバイアス力が付与される様に構成されている事が望ましい。
又、本発明に於ける当該線状体９に形成されている２つの湾曲方向が互いに異なる連続した第１と第２の湾曲部１３、１５が形成されるものであるが、当該各湾曲部１３、１５の大きさや長さ或いは湾曲部の曲率等は、特に限定されるものではなく、任意に設定する事が可能である。
【００２０】
本発明に於ける当該線状体９と当該台座本体部２との配置関係を更に詳細に説明するな
らば、図２から明らかな様に、当該台座本体部２の第１の表面部４を下側にして、当該家具或いは家電製品の角部上面に固定配置した場合に、少なくとも、当該線状体９に於ける当該第２の湾曲部１５の極大点部１６が、当該家具或いは家電製品の角部から垂下している壁面或いは側壁面２２に対し、仮想線４０から押し戻され、実線で示す様な形状に修正されて、その結果、当該線状体９の当該第２の湾曲部１５の当該極大点部１６が、常時所定の押圧力で、当該壁面、側壁面２２に当接せしめられるので、当該壁面、側壁面２２と当該極大点部１６の間に、適宜の紙、メモ用紙、葉書、請求書、領収書等の小物シート類を挟み込んでおく事が可能となる。
本発明に於いては、当該壁面、側壁面２２に当接せしめられる当該線状体９の当該極大部１６近傍に、適宜の摩擦特性が大である素材で構成された補助係止部材を取り付けておく事も望ましい。
【００２１】
次に、本発明に於ける当該装飾品載置台兼用物品吊下具１に於ける更なる具体例としては、例えば、図１又は図２に示す様に、当該線状体９に於ける当該第１の湾曲部１３の内側湾曲部で形成される空間領域部２５に、複数個の切り込み状凹陥状部２６、２６’が形成された板状体２７を、その一部が、当該湾曲状線状体１２の少なくとも一部に接合させて配置したものであっても良い。
【００２２】
当該板状体２７は、適宜の厚みのある、金属、プラスチック或いは上記した複合材料等で所望の厚みを有する素材から構成されるものである事がのぞましく、当該切り込み状凹陥状部２６の形状、個数等も特に限定されるものではなく、任意に設計する事が可能である。
尚、当該板状体２７は、当該切り込み状凹陥状部２６を利用して、手拭い、ハンカチ、スカーフ、マフラー、装身具、腕時計、輪ゴム、等の軽量小物品を係止しておく事が可能であると同時に、当該板状体２７の当該第１の湾曲部内に固定しておくことにより、当該湾曲部を構成する当該線状体９の形状維持の為の補強部材として機能するものである。
然も、当該板状体２７は、図１に示す態様での使用の際、鳥の羽根の部分をイメージする形状が認識され、美感を強調出来る。
【００２３】
一方、本発明に於ける当該装飾品載置台兼用物品吊下具１の他の具体例としては、図１及び図２に示す様に、当該線状体９の当該第２の端部１１に近接する部位であって、当該第２の湾曲部１５の外側湾曲部線に１４に、当該線状体９から外側方向に膨出した膨出部２８が設けられているものである。
【００２４】
当該膨出部２８は、適宜の厚みのある、金属、プラスチック或いは上記した複合材料等で所望の厚みを有する素材から構成されるものである事がのぞましく、当該膨出部２８の形状や厚みは特に限定されるものではなく、任意に設計する事が可能である。
当該膨出部２８の形状は、特に鳥の頭部の形状に近似した形状とする事が望ましい。
【００２５】
本発明に於ける当該具体例に於いて、当該膨出部２８を上記の様に設定することにより、当該第２の湾曲部１５を構成する当該線状体９の形状維持の為の補強部材として機能すると共に、当該膨出部２８は、図１に示す態様での使用の際、鳥の頭の部分をイメージする形状が認識され、前記した板状体２７と併せて、外観の美感を強調出来る。
更に、本発明に於ける更に他の具体例としては、当該線状体９に於ける当該第２の端部１１の先端部に、当該線状体９の長手方向に沿って、所定の長さ延展し且つ収納自在に構成された補助部材３３を摺動可能に設けたものである。
【００２６】
本発明に於ける当該具体例に於いては、当該線状体９の先端端部１１に、軽量の細い線条体或いは、プラスチック若しくは金属の中空筒状体からなる補助部材３３を、当該線状体の内部に、摺動自在に嵌合させ、必要に応じて、適宜の長さだけ引き出し、当該第２の湾曲部の長さを長くする様に調節する事が可能となる。
更に、当該補助部材３３の先端部３４に突起部或いはフック部３５を設けておく事により、更に、輪ゴム等の小物品を係止させる部分が拡大されることになる。
尚、当該補助部材３３は、その伸縮摺動動作を後述するＬＥＤ発光体の制御スイッチ機能として利用する事も可能である。
【００２７】
勿論、本発明に於ける各種の具体例に於いて、当該ＬＥＤ発光体のオン／オフを制御する制御スイッチ５４は、当該台座本体部２の適宜の部位に配置しておく事も可能である事は言うまでも無い。
次に、本発明に於ける更に別の具体例としては、少なくとも当該膨出部２８の一部にＬＥＤ発光体３６を設け、適宜の電源を使用して、任意の時間、点灯発光させることにより、更に、美麗、美感状態を向上させる事が可能である。
当該ＬＥＤ発光体３６は、更に当該板状体２７の適宜の部位や当該台座本体部２の適宜の部位に適宜の個数取り付ける事も可能である。
係る構成により、特に夜間に於いて、当該装飾品載置台兼用物品吊下具１の存在位置を容易に確認する事が可能となる。
【００２８】
本発明に於いて、当該電源としては、当該台座本体部２内に適宜の電池２３を内蔵しておく事も可能であるが、適宜のコード手段５０を使用して外部電源と接続し、当該台座本体部２内に設けられた適宜のバッテリ２３に充電して使用する事も可能である。
更に、本発明に於いて、当該各は、当該台座本体部２内に設けられた適宜のＣＰＵを含む制御回路５２を使用し、適宜のプログラムを予め内蔵させておき、当該内蔵されているＬＥＤの発光状態規制プログラムを適宜選択して駆動させて、当該各ＬＥＤ発光体３６の発光時間、連続発光と間歇的発光の制御、間歇発光時の発光間隔、発光強度、発光色等を適宜制御する事が出来る。
【００２９】
又、当該台座本体部２内に適宜の光センサー５３を設けておき、当該装飾品載置台兼用物品吊下具１の周囲の明るさを検出して、暗くなれば当該ＬＥＤ発光体３６を発光させる様に制御し、又その逆の状態が検出された場合には、当該ＬＥＤ発光体３６を消灯させる様に制御する事も可能である。
その他、当該台座本体部２の周縁部に、例えば、鳥の羽根や尾羽根、或いは、適宜の花や葉っぱ等の形をした、可とう性のプラスチックフィルム、シート等の縁飾り部６１を適宜取り付けておく事も可能であり、それによって、当該台座本体部２の外観形状が更に華麗となり、美的感覚も向上すると共に、当該とり台座本体部２を反転させて使用した場合にも、当該縁飾り部６１は、容易に押しつぶされ、平坦化されるので、何らの障害にもならない。
更に、本発明の当該装飾品載置台兼用物品吊下具１の他の具体例に付いて説明するならば、上記した各具体例では、当該線状体９は、当該台座部７の当該台座本体部２の外部に固定して配置されているものであるが、本具体例では、当該装飾品載置台兼用物品吊下具１の使用を中止する場合に、当該装飾品載置台兼用物品吊下具１の収納を容易にする為に、当該線状体９を当該台座本体部２の内部に容易に収納出来る様に構成されているものである。
【００３０】
即ち、図５及び図６に示す様に、当該台座本体部２の側壁部８の一部に、当該線状体９の湾曲形状に略一致した溝部６０を当該側壁面部８表面から当該台座本体部７の内部に向けて堀削り、当該溝部６０内部に当該線状体９の略全体を収納する様に構成したものである。
より具体的には、図６（Ｂ）に示す様に、当該台座本体部２の側壁面部８に溝部６０を堀り削って当該台座本体部２の内部に、図６（Ａ）の点線で示す様な境界線を形成する様に堀削り、当該線状体９の収納部を形成する。
【００３１】
一方、当該台座本体部２の側壁面部８と当該線状体９の第１の端部１０とを接合する接合部材としては、例えば、図５に示す様に、当該線状体９を当該台座本体部２の表面に対して直角となる位置に固定出来るガイド位置７０と当該線状体９を、当該線状体９を当該台座本体部２の表面に対して直角となる位置から摺動させて、当該線状体９を当該台座本体部２の表面に対して平行となる様に旋回させて横倒し状態を可能にする溝部７１に連通したガイド位置７２とを有する第１の取付手段３０と、当該第１の取付手段３０を旋回自在に保持する第２の取付手段３１とから構成されている取付手段３２を使用するものである。
【００３２】
従って、本具体例に於いては、当該線状体９を当該台座部７の当該台座本体部２に形成された、当該溝部６０内部に収納する場合には、例えば、先ず、当該台座本体部２の当該第１の表面４に対して直立している当該線状体９を、当該取付手段３２に於ける当該第１の取付手段３０に形成された当該Ｌ字型をしたガイド部７４に於ける、当該第１のガイド位置７０から、所定のバネ力に抗して、当該第２のガイド位置７２迄移動させ、そこから、当該線状体９を当該ガイド部７１の溝に沿って、旋回させて、当該線状体９の上記垂直位置から、図６に示す様に、一旦、当該台座本体部２の当該第１の表面部４の水平面と平行状態になる様に、横倒しさせ、その状態から、図６の矢印（Ｃ）に沿って、当該線状体９を当該取付手段３２の旋回軸を中心として旋回させながら、当該線状体９を当該溝部６０内部に収納するものである。
尚、本発明に於ける当該具体例に於いて、当該溝部６０から、当該線状体９を引き出して、当該台座本体部２の第１の表面部４に対して直角に起立させるには、上記した操作手順を逆に実行すればよい。
【００３３】
又、本発明に於ける当該具体例では、当該第１の取付手段３０内に於いて、当該線状体９は、例えば、当該第１の取付手段３０内に配置された固定の回転軸７６に嵌合されて、旋回自在に取り付けられており、且つ、当該回転軸７６に嵌合した状態で、当該回転軸７６に沿って摺動可能に設けられると共に、当該線状体９は、例えば、適宜のバネ手段（図示せず）によって、当該第１のガイド位置７０に向けて常時押圧されているものである。
又、本発明の上記具体例に於いて、当該線状体９が当該台座本体部２の側壁部に設けられた溝部６０内に収納されている場合に、例えば、当該線状体９に設けられている当該板状体２７の当該一部の切り込み部２６を形成している両側部の先端部の一部或いは当該膨出部２８の頂部の一部が、当該台座本体部２の側壁面部８の外表面から突出する様に構成しておく事により、使用者は、当該収納されている線状体９を容易に引き出す事も可能となる。
【符号の説明】
【００３４】
１…装飾品載置台兼用物品吊下具
２…台座本体部
３…第１の層  
４…第１の表面部
５…第２の層
６…第２の表面部
７…台座部
８…台座本体部の側壁部
９…線状体
１０…第１の端部
１１…第２の端部
１２…第１の線条部分
１３…第１の湾曲部
１４…第２の線条部分
１５…第２の湾曲部
１６…極大点部
１７…仮想垂直面
２０…家具、家電製品
２１…物品
２２…壁面
２３…金属製物体或いは磁石
２４…電池又はバッテリ
２５…空間領域部
２６…切り込み状凹陥状部
２７…板状体
２８…膨出部
３０…第１の取付手段
３１…第２の取付手段
３２…取付手段
３３…補助部材
３４…先端部
３５…フック部
３６…ＬＥＤ発光体
５０…コード手段
５２…制御回路
５３…光センサー
５３…光センサ
６０…溝部
６１…縁飾り部
７０…第１のガイド位置
７２…第２のガイド位置
７１…溝部
７４…Ｌ字型ガイド部
【図１】
2013165854.tif 000003
【図２】
2013165854.tif 000004
【図３】
2013165854.tif 000005
【図４】
2013165854.tif 000006
【図５】
2013165854.tif 000007
【図６】
2013165854.tif 000008
【手続補正書】
【提出日】平成24年6月9日(2012.6.9)
【手続補正１】
【補正対象書類名】特許請求の範囲
【補正対象項目名】全文
【補正方法】変更
【補正の内容】
【特許請求の範囲】
【請求項１】
所定の重量と面積を有し、所定の平面形状を有する台座本体部、
当該台座本体部の一方の表面であって、主として摩擦特性の大なる素材若しくは磁気特性を有する素材で構成された第１の層が設けられている第１の表面、及び
当該台座本体部に於ける当該第１の表面に対して反対側の表面であって、主として摩擦特性の大なる素材で構成された第２の層が設けられている第２の表面、
とで構成された台座部と、
当該台座本体部の少なくとも一部の側壁面部から外側に向けて突出して設けられている線状体と、
から構成されている装飾品載置台兼用物品吊下具であって、
当該線状体は、所定の太さと長さを有し、且つ当該台座本体部の所定の側壁部に接合されている第１の端部と、当該線状体の長手方向に於ける、当該第１の端部とは反対側の自由端部を形成する第２の端部とからなり、且つ当該第１の端部から当該線状体の長手方向に沿って所定の長さを有する部位迄の第１の線条部分は、当該台座本体部から見て当該台座本体部に向けて内側に湾曲した第１の湾曲部で構成され、当該第１の湾曲部に連続して当該第２の端部に至るまでの第２の線条部分は、当該第１の湾曲部の湾曲状態とは反対方向の外側に湾曲した第２の湾曲部で構成されており、
且つ、少なくとも、当該線状体の当該第１の端部近傍部分は、弾発性を有する素材で構成する事により、当該線状体が常時当該台座本体部方向に向けたバイアス力が付与される様に構成されており、
少なくとも、当該線状体に於ける当該第２の湾曲部の極大点部は、当該線状体の当該第１の端部が接合されている当該台座本体部に於ける当該側壁面部か形成する仮想垂直面よりも当該台座本体部側に位置する様に設定されており、
然も、当該線状体の当該第１の端部は、当該線状体が当該台座本体部の当該第１の表面部に対して直角となる様に、少なくとも一時的に固定された状態に配置されると共に、当該線状体の当該第２の端部が、当該台座本体部の当該第１の表面部側に存在する様に、当該台座本体部の当該側壁部の所定の部位に配置される事を特徴とする装飾品載置台兼用物品吊下具。
線
【請求項２】
当該第２の湾曲部に於ける当該極大部の外側湾曲部に摩擦特性の大なる素材からなる部材が設けられている特徴とする請求項１に記載の装飾品載置台兼用物品吊下具。
【請求項３】
当該台座本体部内部にマグネット部材が埋め込まれている特徴とする請求項１又は２に記載の装飾品載置台兼用物品吊下具。
【請求項４】
当該線状体に於ける当該第１の湾曲部の内側湾曲部で形成される空間領域部に、複数個の切り込み状凹陥状部が形成された板状体を、その一部を当該線状体に接合させて配置した事を特徴とする請求項１乃至３の何れかに記載の装飾品載置台兼用物品吊下具。
【請求項５】
当該線状体の当該第２の端部に近接する部位であって、当該第２の湾曲部の外側湾曲部に当該線状体から外側方向に膨出した膨出部が設けられている事を特徴とする請求項１乃至４の何れかに記載の装飾品載置台兼用物品吊下具。
【請求項６】
当該膨出部にＬＥＤ発光体を設けた事を特徴とする請求項５に記載の装飾品載置台兼用物品吊下具。
【請求項７】
当該線状体に於ける当該第２の端部先端部に、当該線状体の長手方向に沿って、所定の長さ延展し且つ収納自在に構成された補助部材を摺動可能に設けた事を特徴とする請求項１乃至６の何れかに記載の装飾品載置台兼用物品吊下具。
【請求項８】
当該補助部材は、当該ＬＥＤ発光体に対するスイッチ機能を有している特徴とする請求項７に記載の装飾品載置台兼用物品吊下具。
【手続補正２】
【補正対象書類名】明細書
【補正対象項目名】０００７
【補正方法】変更
【補正の内容】
【０００７】
本発明は、上記のような目的を達成するため、基本的には、以下に示す様な技術構成を採用するものである。
即ち、本発明に係る装飾品載置台兼用物品吊下具は、所定の重量と面積を有し、所定の平面形状を有する台座本体部、当該台座本体部の一方の表面であって、主として摩擦特性の大なる素材若しくは磁気特性を有する素材で構成された第１の層が設けられている第１の表面、及び当該台座本体部に於ける当該第１の表面に対して反対側の表面であって、主として摩擦特性の大なる素材で構成された第２の層が設けられている第２の表面、とで構成された台座部と、当該台座本体部の少なくとも一部の側壁面部から外側に向けて突出して設けられている線状体と、から構成されている装飾品載置台兼用物品吊下具であって、当該線状体は、所定の太さと長さを有し、且つ当該台座本体部の所定の側壁部に接合されている第１の端部と、当該線状体の長手方向に於ける、当該第１の端部とは反対側の自由端部を形成する第２の端部とからなり、且つ当該第１の端部から当該線状体の長手方向に沿って所定の長さを有する部位迄の第１の線条部分は、当該台座本体部から見て当該台座本体部に向けて内側に湾曲した第１の湾曲部で構成され、当該第１の湾曲部に連続して当該第２の端部に至るまでの第２の線条部分は、当該第１の湾曲部の湾曲状態とは反対方向の外側に湾曲した構成されており、且つ、少なくとも、当該線状体の当該第１の端部近傍部分は、弾発性を有する素材で構成する事により、当該線状体が常時当該台座本体部方向に向けたバイアス力が付与される様に構成されており、少なくとも、当該線状体に於ける当該第２の湾曲部の極大点部は、当該線状体の当該第１の端部が接合されている当該台座本体部に於ける当該側壁面部か形成する仮想垂直面よりも当該台座本体部側に位置する様に設定されており、然も、当該線状体の当該第１の端部は、当該線状体が当該台座本体部の当該第１の表面部に対して直角となる様に、少なくとも一時的に固定された状態に配置されると共に、当該線状体の当該第２の端部が、当該台座本体部の当該第１の表面部側に存在する様に、当該台座本体部の当該側壁部の所定の部位に配置される事を特徴とする装飾品載置台兼用物品吊下具である。